(57)【要約】【課題】  簡音声付動画データのスロー再生時においても聞き取りやすい音声を再生することができる動画再生装置及びそのプログラムを実現する。【解決手段】  設定されている動画の再生速度が所定速度より遅いと判断すると（Ｓ２でＹ）、音声付動画データの音声データの音声を認識し（Ｓ３）、該認識に基づいて該音声データを複数に区切る（Ｓ４）。そして、該音声付動画データの動画データを該設定されている再生速度での再生を開始させるとともに（Ｓ５）、該複数に区切られた音声データを、該再生させている動画データに同期させながら通常の速度で再生させる（Ｓ６〜Ｓ１０）。一方、設定されている再生速度が所定速度より速い場合は（Ｓ２でＮ）、音声付動画データの動画データと音声データとを該設定されている再生速度で再生させる動作を開始させる（Ｓ１１）。【選択図】  図２
2008079073.tif 000002
【特許請求の範囲】
【請求項１】
音声付動画データを取得する取得手段と、
前記取得手段により取得された音声付動画データの動画データをスロー再生させて表示手段に表示させるスロー再生制御手段と、
前記取得手段により取得された音声付動画データの音声データを複数に区切る区切手段と、
前記区切手段により複数に区切られた音声データを前記スロー再生制御手段によりスロー再生させる動画データの再生速度よりも早い速度で、該スロー再生制御手段によりスロー再生される動画データと同期させて放音手段から放音させることにより、該区切られた複数の音声データを再生させていく音声再生制御手段と、
を備えたことを特徴とする動画再生装置。
【請求項２】
前記区切手段は、
前記取得手段により取得された音声付動画データの音声データを、所定の単位時間毎に区切ることを特徴とする請求項１記載の動画再生装置。
【請求項３】
前記取得手段により取得された音声付動画データの音声データの音声を認識する音声認識手段を備え、
前記区切手段は、
前記音声認識手段により認識された音声に基づいて、該音声データの音声の区切のよい部分で区切ることを特徴とする請求項１記載の動画再生装置。
【請求項４】
前記音声再生制御手段は、
前記区切手段により複数に区切られた音声データを、通常の再生速度又は前記スロー再生制御手段によりスロー再生される動画データの再生速度よりも速い再生速度で再生させていくことを特徴とする請求項１乃至３の何れかに記載の動画再生装置。
【請求項５】
前記スロー再生制御手段によりスロー再生される動画データの再生速度よりも速い任意の再生速度を、音声の再生速度として設定する音声再生速度設定手段を備え、
前記音声再生制御手段は、
前記区切手段により複数に区切られた音声データを前記音声再生速度設定手段により設定された音声の再生速度で、前記スロー再生制御手段によりスロー再生される動画データと同期させて放音手段から放音させることにより、該区切られた複数の音声データを再生させていくことを特徴とする請求項１乃至３の何れかに記載の動画再生装置。
【請求項６】
前記音声再生制御手段は、
前記区切手段により複数に区切られた音声データを、無音状態を挟みながら再生させていくことを特徴とする請求項１乃至５の何れかに記載の動画再生装置。
【請求項７】
前記音声再生制御手段は、
前記区切手段により複数に区切られた各音声データを、スロー再生される動画データと同期される期間内でリピート再生させることを特徴とする請求項１乃至６の何れかに記載の動画再生装置。
【請求項８】
前記音声再生制御手段は、
前記区切手段により複数に区切られた各音声データをリピート再生させる場合、２回目以降に再生される音声を１回目に再生される音声より小さくすることを特徴とする請求項７記載の動画再生装置。
【請求項９】
前記音声再生制御手段は、
前記区切手段により複数に区切られた各音声データを、スロー再生される動画データと同期された期間内の任意のタイミングで再生させていくことを特徴とする請求項１乃至６の何れかに記載の動画再生装置。
【請求項１０】
前記音声再生制御手段は、
前記区切手段により複数に区切られた各音声データを再生する場合、各音声データの音声の始めと終わりとでフェードイン、フェードアウトさせて再生させることを特徴とする請求項１乃至９の何れかに記載の動画再生装置。
【請求項１１】
前記スロー再生制御手段により再生される再生速度を設定するスロー再生速度設定手段と、
前記スロー再生速度設定手段により設定された再生速度が所定速度より遅いか否かを判断する速度判断手段と、を備え、
前記音声再生制御手段は、
前記速度判断手段により前記スロー再生速度設定手段によって設定された再生速度が所定速度より遅いと判断された場合は、前記区切手段により複数に区切られた音声データを、前記スロー再生制御手段によりスロー再生させる動画データの再生速度よりも早い速度で、該スロー再生制御手段によりスロー再生される動画データと同期させて放音手段から放音させることにより、該区切られた複数の音声データを再生させていき、前記速度判断手段により前記スロー再生速度設定手段によって設定された再生速度が所定速度より遅くないと判断された場合には、前記取得手段により取得された音声付動画データの音声データを、前記スロー再生制御手段によりスロー再生させる動画データの再生速度と同じ速度で再生させることを特徴とする請求項１乃至１０の何れかに記載の動画再生装置。
【請求項１２】
音声の再生速度を、動画の再生速度と同じにするかそれとも動画の再生速度より速い速度にするかを選択する選択手段を備え、
前記音声再生制御手段は、
前記選択手段により音声の再生速度を動画の再生速度より速い速度にすると選択された場合は、前記区切手段により複数に区切られた音声データを前記スロー再生制御手段によりスロー再生させる動画データの再生速度よりも早い速度で、該スロー再生制御手段によりスロー再生される動画データと同期させて放音手段から放音させることにより、該区切られた複数の音声データを再生させていき、前記選択手段により音声の再生速度を動画の再生速度と同じにすると選択された場合には、前記取得手段により取得された音声付動画データの音声データを、前記スロー再生制御手段によりスロー再生させる動画データの再生速度と同じ速度で再生させることを特徴とする請求項１乃至１０の何れかに記載の動画再生装置。
【請求項１３】
前記取得手段により取得された音声付動画データの音声データの音声が人の音声かそれとも人の音声以外の音声か否かを判断する判断手段を備え、
前記音声再生制御手段は、
前記判断手段により人の音声と判断された場合は、前記区切手段により複数に区切られた音声データを前記スロー再生制御手段によりスロー再生される動画データの再生速度よりも速い速度で、該スロー再生制御手段によりスロー再生される動画データと同期させて放音手段から放音させることにより、該区切られた複数の音声データを再生していき、前記判断手段により人の音声以外の音声と判断された場合には、前記取得手段により取得された音声付動画データの音声データを、前記スロー再生制御手段によりスロー再生される動画データの再生速度と同じ速度で再生させることを特徴とする請求項１乃至１０の何れかに記載の動画再生装置。
【請求項１４】
音声付動画データを取得する取得処理と、
前記取得処理により取得された音声付動画データの動画データをスロー再生させて表示部に表示させるスロー再生制御処理と、
前記取得処理により取得された音声付動画データの音声データを複数に区切る区切処理と、
前記区切処理により複数に区切られた音声データを前記スロー再生制御処理によりスロー再生させる動画データの再生速度よりも早い速度で、該スロー再生制御処理によりスロー再生される動画データと同期させて放音部から放音させることにより、該区切られた複数の音声データを再生させていく音声再生制御処理と、
を含み、上記各処理をコンピュータで実行させることを特徴とするプログラム。
【発明の詳細な説明】
【技術分野】
【０００１】
本発明は、動画再生装置及びそのプログラムに係り、詳しくは、音声付動画像データをスロー再生することができる動画再生装置及びそのプログラムに関する。
【背景技術】
【０００２】
動画再生装置においては、音声付動画データの動画データをスロー再生させるとともに、該動画データと関連付けられている音声データも一緒にスロー再生させる技術がある（特許文献１）。
【０００３】
【特許文献１】公開特許公報  特開２００３−５８１９５号
【発明の開示】
【発明が解決しようとする課題】
【０００４】
しかしながら、従来の技術によれば、動画データと一緒に音声データをスロー再生させてしまうと、そのスロー再生される音声が聞き取りづらいという問題がある。
例えば、人の声をスローで再生してしまうと、何を話しているのかわからなくなり、たとえ、聞き取れたとしても動画を見る人が苛々してしまっていた。
【０００５】
そこで本発明は、かかる従来の問題点に鑑みてなされたものであり、音声付動画データのスロー再生時においても聞き取りやすい音声を再生することができる動画再生装置及びそのプログラムを提供することを目的とする。
【課題を解決するための手段】
【０００６】
上記目的達成のため、請求項１記載の発明による動画再生装置は、音声付動画データを取得する取得手段と、
前記取得手段により取得された音声付動画データの動画データをスロー再生させて表示手段に表示させるスロー再生制御手段と、
前記取得手段により取得された音声付動画データの音声データを複数に区切る区切手段と、
前記区切手段により複数に区切られた音声データを前記スロー再生制御手段によりスロー再生させる動画データの再生速度よりも早い速度で、該スロー再生制御手段によりスロー再生される動画データと同期させて放音手段から放音させることにより、該区切られた複数の音声データを再生させていく音声再生制御手段と、
を備えたことを特徴とする。
【０００７】
また、例えば、請求項２に記載されているように、前記区切手段は、
前記取得手段により取得された音声付動画データの音声データを、所定の単位時間毎に区切るようにしてもよい。
【０００８】
また、例えば、請求項３に記載されているように、前記取得手段により取得された音声付動画データの音声データの音声を認識する音声認識手段を備え、
前記区切手段は、
前記音声認識手段により認識された音声に基づいて、該音声データの音声の区切のよい部分で区切るようにしてもよい。
【０００９】
また、例えば、請求項４に記載されているように、前記音声再生制御手段は、
前記区切手段により複数に区切られた音声データを、通常の再生速度又は前記スロー再生制御手段によりスロー再生される動画データの再生速度よりも速い再生速度で再生させていくようにしてもよい。
【００１０】
また、例えば、請求項５に記載されているように、前記スロー再生制御手段によりスロー再生される動画データの再生速度よりも速い任意の再生速度を、音声の再生速度として設定する音声再生速度設定手段を備え、
前記音声再生制御手段は、
前記区切手段により複数に区切られた音声データを前記音声再生速度設定手段により設定された音声の再生速度で、前記スロー再生制御手段によりスロー再生される動画データと同期させて放音手段から放音させることにより、該区切られた複数の音声データを再生させていくようにしてもよい。
【００１１】
また、例えば、請求項６に記載されているように、前記音声再生制御手段は、
前記区切手段により複数に区切られた音声データを、無音状態を挟みながら再生させていくようにしてもよい。
【００１２】
また、例えば、請求項７に記載されているように、前記音声再生制御手段は、
前記区切手段により複数に区切られた各音声データを、スロー再生される動画データと同期される期間内でリピート再生させるようにしてもよい。
【００１３】
また、例えば、請求項８に記載されているように、前記音声再生制御手段は、
前記区切手段により複数に区切られた各音声データをリピート再生させる場合、２回目以降に再生される音声を１回目に再生される音声より小さくするようにしてもよい。
【００１４】
また、例えば、請求項９に記載されているように、前記音声再生制御手段は、
前記区切手段により複数に区切られた各音声データを、スロー再生される動画データと同期された期間内の任意のタイミングで再生させていくようにしてもよい。
【００１５】
また、例えば、請求項１０に記載されているように、前記音声再生制御手段は、
前記区切手段により複数に区切られた各音声データを再生する場合、各音声データの音声の始めと終わりとでフェードイン、フェードアウトさせて再生させるようにしてもよい。
【００１６】
また、例えば、請求項１１に記載されているように、前記スロー再生制御手段により再生される再生速度を設定するスロー再生速度設定手段と、
前記スロー再生速度設定手段により設定された再生速度が所定速度より遅いか否かを判断する速度判断手段と、を備え、
前記音声再生制御手段は、
前記速度判断手段により前記スロー再生速度設定手段によって設定された再生速度が所定速度より遅いと判断された場合は、前記区切手段により複数に区切られた音声データを、前記スロー再生制御手段によりスロー再生させる動画データの再生速度よりも早い速度で、該スロー再生制御手段によりスロー再生される動画データと同期させて放音手段から放音させることにより、該区切られた複数の音声データを再生させていき、前記速度判断手段により前記スロー再生速度設定手段によって設定された再生速度が所定速度より遅くないと判断された場合には、前記取得手段により取得された音声付動画データの音声データを、前記スロー再生制御手段によりスロー再生させる動画データの再生速度と同じ速度で再生させるようにしてもよい。
【００１７】
また、例えば、請求項１２に記載されているように、音声の再生速度を、動画の再生速度と同じにするかそれとも動画の再生速度より速い速度にするかを選択する選択手段を備え、
前記音声再生制御手段は、
前記選択手段により音声の再生速度を動画の再生速度より速い速度にすると選択された場合は、前記区切手段により複数に区切られた音声データを前記スロー再生制御手段によりスロー再生させる動画データの再生速度よりも早い速度で、該スロー再生制御手段によりスロー再生される動画データと同期させて放音手段から放音させることにより、該区切られた複数の音声データを再生させていき、前記選択手段により音声の再生速度を動画の再生速度と同じにすると選択された場合には、前記取得手段により取得された音声付動画データの音声データを、前記スロー再生制御手段によりスロー再生させる動画データの再生速度と同じ速度で再生させるようにしてもよい。
【００１８】
また、例えば、請求項１３に記載されているように、前記取得手段により取得された音声付動画データの音声データの音声が人の音声かそれとも人の音声以外の音声か否かを判断する判断手段を備え、
前記音声再生制御手段は、
前記判断手段により人の音声と判断された場合は、前記区切手段により複数に区切られた音声データを前記スロー再生制御手段によりスロー再生される動画データの再生速度よりも速い速度で、該スロー再生制御手段によりスロー再生される動画データと同期させて放音手段から放音させることにより、該区切られた複数の音声データを再生していき、前記判断手段により人の音声以外の音声と判断された場合には、前記取得手段により取得された音声付動画データの音声データを、前記スロー再生制御手段によりスロー再生される動画データの再生速度と同じ速度で再生させるようにしてもよい。
【００１９】
上記目的達成のため、請求項１４記載の発明によるプログラムは、音声付動画データを取得する取得処理と、
前記取得処理により取得された音声付動画データの動画データをスロー再生させて表示部に表示させるスロー再生制御処理と、
前記取得処理により取得された音声付動画データの音声データを複数に区切る区切処理と、
前記区切処理により複数に区切られた音声データを前記スロー再生制御処理によりスロー再生させる動画データの再生速度よりも早い速度で、該スロー再生制御処理によりスロー再生される動画データと同期させて放音部から放音させることにより、該区切られた複数の音声データを再生させていく音声再生制御処理と、
を含み、上記各処理をコンピュータで実行させることを特徴とする。
【発明の効果】
【００２０】
本願発明によれば、音声付動画データの動画データをスロー再生させるとともに、音声データを複数に区切り、該区切られた各音声データを、該各音声データに対応する動画データに同期させて、スロー再生される動画データの再生速度よりも速い速度で再生させるようにしたので、聞き取りやすい音声を放音手段から放音させることができる。
【発明を実施するための最良の形態】
【００２１】
以下、本実施の形態について、本発明の動画再生装置をデジタルカメラに適用した一例として図面を参照して詳細に説明する。
[実施の形態]
Ａ．デジタルカメラの構成
図１は、本発明の動画再生装置を実現するデジタルカメラ１の電気的な概略構成を示すブロック図である。
デジタルカメラ１は、撮影レンズ２、レンズ駆動ブロック３、ＣＣＤ４、ドライバ５、ＴＧ（timing
generator）６、ユニット回路７、画像生成部８、ＣＰＵ９、キー入力部１０、メモリ１１、ＤＲＡＭ１２、フラッシュメモリ１３、画像表示部１４、音声処理部１５、バス１６を備えている。
【００２２】
撮影レンズ２は、複数のレンズ群から構成されるフォーカスレンズ２ａ、ズームレンズ２ｂ等を含む。そして、撮影レンズ２にはレンズ駆動ブロック３が接続されている。レンズ駆動ブロック３は、フォーカスレンズ２ａ、ズームレンズ２ｂをそれぞれ光軸方向に沿って駆動させるフォーカスモータ、ズームモータと、ＣＰＵ９から送られてくる制御信号にしたがって、フォーカスモータ、ズームモータを駆動させるフォーカスモータドライバ、ズームモータドライバから構成されている（図示略）。
【００２３】
ＣＣＤ４は、ドライバ５によって駆動され、一定周期毎に被写体像のＲＧＢ値の各色の光の強さを光電変換して撮像信号としてユニット回路７に出力する。このドライバ５、ユニット回路７の動作タイミングはＴＧ６を介してＣＰＵ９により制御される。
【００２４】
ユニット回路７には、ＴＧ６が接続されており、ＣＣＤ４から出力される撮像信号を相関二重サンプリングして保持するＣＤＳ（Correlated Double Sampling）回路、そのサンプリング後の撮像信号の自動利得調整を行なうＡＧＣ（Automatic Gain Control）回路、その自動利得調整後のアナログの撮像信号をデジタル信号に変換するＡ／Ｄ変換器から構成されており、ＣＣＤ４から出力された撮像信号はユニット回路７を経てデジタル信号として画像生成部８に送られる。
【００２５】
画像生成部８は、ユニット回路７から送られてきた画像データに対してγ補正処理、ホワイトバランス処理などの処理を施すとともに、輝度色差信号（ＹＵＶデータ）を生成し、該生成された輝度色差信号の画像データはＣＰＵ９に送られる。つまり、画像生成部８は、ＣＣＤ４から出力された画像データに対して画像処理を施す。
【００２６】
ＣＰＵ９は、画像生成部８から送られてきた画像データの圧縮・伸張（例えば、ＪＰＥＧ形式、ＭＰＥＧ形式の圧縮・伸張）処理、リピート再生処理、動画データ及び音声の削除処理を行う機能を有するとともに、デジタルカメラ１の各部を制御するワンチップマイコンである。
特に、ＣＰＵ９は、フラッシュメモリ１３に記録されている音声付動画データを取得する機能（取得手段）、該取得した音声付動画データの動画データをスロー再生させる機能（スロー再生制御手段）、音声付動画データの音声データの音声を認識する機能（音声認識手段）、音声認識手段により認識された音声に基づいて、該取得した音声付動画データの音声データを複数に区切る機能（区切手段）、該区切られた各音声データを、通常の速度（１倍速）で、スロー再生される動画データと同期させてスピーカから放音させる機能（音声再生制御手段）を備える。
また、スロー再生される動画データの再生速度を設定する機能（スロー再生設定手段）、該設定された再生速度が所定速度より遅いか否かを判断する機能（速度判断手段）も備える。
【００２７】
キー入力部１０は、シャッタボタン、電源オンオフキー、モード切替キー、十字キー、ＳＥＴキー等の複数の操作キーを含み、ユーザのキー操作に応じた操作信号をＣＰＵ９に出力する。
メモリ１１には、ＣＰＵ９が各部を制御するのに必要な制御プログラム、及び必要なデータが記録されており、ＣＰＵ９は、該プログラムに従い動作する。
【００２８】
ＤＲＡＭ１２は、ＣＣＤ４によって撮像された後、ＣＰＵ９に送られてきた画像データを一時記憶するバッファメモリとして使用されるとともに、ＣＰＵ９のワーキングメモリとして使用される。
フラッシュメモリ１３は、圧縮された画像データを保存する記録媒体である。
【００２９】
画像表示部１４は、カラーＬＣＤとその駆動回路を含み、撮影待機状態にあるときには、ＣＣＤ４によって撮像された被写体をスルー画像として表示し、記録画像の再生時には、フラッシュメモリ１３から読み出され、伸張された記録画像を表示させる。
【００３０】
音声処理部１５は、内蔵マイク、アンプ、Ａ／Ｄ変換器、Ｄ／Ａ変換器、アンプ、内蔵スピーカ等を含み、音声付動画撮影時には、内蔵マイクに入力された音声をデジタル信号に変換してＣＰＵ９に送る。ＣＰＵ９は、送られてきた音声データを、バッファメモリ（ＤＲＡＭ１２）に順次記憶し、該記憶した音声データを撮影された動画データと関連付けてフラッシュメモリ１３に記録する。つまり、音声付動画データを記録する。
また、音声処理部１５は、音声付動画再生時には、画像表示部１４に再生表示される動画データに合わせて、該動画データに関連付けられて記録されている音データに基づく音声等を内蔵スピーカから放音する。
【００３１】
Ｂ．デジタルカメラ１の動作
実施の形態におけるデジタルカメラ１の動作を図２のフローチャートに従って説明する。なお、本実施の形態においては、動画データをスローで再生させるということを前提に説明する。
ユーザのキー入力部１０の操作により音声付動画データの再生の指示が行われると、ステップＳ１で、ＣＰＵ９は、フラッシュメモリ１３に記録されている音声付動画データのうち、ユーザのキー入力部１０の操作により再生指示された該音声付動画データ（動画データ、及び該動画データに関連付けれられている音声データ）を、フラッシュメモリ１３から読み出すことにより取得する（取得手段）。この読み出された音声付動画データはバッファメモリ（ＤＲＡＭ１２）に記憶される。
【００３２】
次いで、ステップＳ２で、現在設定されている動画再生速度が所定速度より遅いか否かを判断する（速度判断手段）。
ユーザはキー入力部１０を操作することにより、設定モードやメニューモードにおいて、予め動画の再生速度を任意に選択することができ、ＣＰＵ９は、該選択された再生速度を動画の再生速度として設定する（スロー再生速度設定手段）。つまり、ＣＰＵ９は、ユーザによって選択された再生速度をメモリ１１の再生速度記録領域に記録させる。ユーザは、１倍速（通常の速度）、１／２倍速、１／３倍速、１／４倍速等の１倍速未満の再生速度を設定することができる。ここでは、ユーザにより設定された再生速度を１／３倍速とし、所定速度を１／２倍速とする。
【００３３】
ステップＳ２で、設定されている再生速度（再生速度記録領域に記録されている再生速度）がメモリ１１に予め記録されている所定速度より遅いと判断すると、ステップＳ３に進み、ＣＰＵ９は、該取得したバッファメモリに記憶されている音声付動画データの音声データの音声を音声認識処理により認識する（音声認識手段）。
ここで話しは変わるが、該取得した音声付動画データは、図３（ａ）に示すように音声付動画データの記録時間は８秒とし、録音された音声は「イチニツイテー、ヨーイ、□□スタート、ワー、ワー」であるとする。
【００３４】
この「イチニツイテー、ヨーイ、□□スタート、ワー、ワー」のうち「イチニ」とう音声は０秒から１秒の間に録音され、「ツイテ」という音声は１秒から２秒の間に録音され、「ー」という音声は２秒から３秒の間に録音され、「ヨーイ」という音声は３秒から４秒の間に録音され、４秒から５秒の間は音声が録音されておらず（□□の部分）、「スタート」という音声は５秒から６秒の間に録音され、１回目の「ワー」という音声は６秒から７秒の間に録音され、２回目の「ワー」という音声は７秒から８秒の間に録音されている。
音声認識処理の話しに戻り、ここでの音声認識処理は、音声に基づいて言葉を認識することにより、言葉の文章で区切りのよい部分（例えば、文節など）を認識する。この音声認識処理は、既に周知技術なので説明を省略する。これにより、文章を区切りの悪いところで区切ることがなく、放音される音声の文章を聞き取り易くすることができる。
【００３５】
次いで、ステップＳ４で、ＣＰＵ９は、該音声認識処理に基づいて該音声データを複数に区切る（区切手段）。例えば、音声認識により区切のよい部分として認識された音声が「イチニツイテー」、「ヨーイ」、「□□」、「スタート」、「ワー」、「ワー」である場合には、録音された全音声データを、「イチニツイテー」の音声データ（０秒〜３秒までの音声データ）と、「ヨーイ」という音声データ（３秒〜４秒までの音声データ）と、「□□」の音声データ（４秒〜５秒までの音声データ）、つまり、音声が無い部分の音声データと、「スタート」の音声データ（５秒〜６秒までの音声データ）と、１回目の「ワー」の音声データ（６秒〜７秒までの音声データ）と、２回目の「ワー」の音声データ（７秒〜８秒までの音声データ）とに区切ることになる。
【００３６】
次いで、ステップＳ５で、ＣＰＵ９は、該取得した（バッファメモリに記憶した）音声付動画データの動画データの再生を該設定されている再生速度（再生速度記録領域に記録されている再生速度）で開始する（スロー再生制御手段）。
つまり、動画データのフレームデータを該設定された再生速度で最初から順次画像表示部１４に表示させる。この設定された再生速度での再生とは、例えば、該音声付動画データの動画データが１／３０秒のフレームレートで撮像されていった場合に、設定された再生速度が１／３倍速の場合は、１／１０秒のフレームレート間隔で、つまり、１秒間に１０枚のフレームデータを表示させる間隔で表示させていくことになる。
【００３７】
動画データの再生を開始させると、ＣＰＵ９は、該複数に区分けされた音声データを、該再生させている動画データに同期させながら通常の速度で再生させる動作を開始する（音声再生制御手段）。これにより、音声データの音声を聞き取り易くすることができる。
具体的には、動画データの再生を開始させると、ＣＰＵ９は、まず、複数に区分けされた音声データのうち、最初の区分けされた音声データの再生を通常の再生速度（１倍速）で開始させる（ステップＳ６）。
ここでは、複数に区切られた音声データのうち、最初の区分けされた音声データは、「イチニツイテー」の音声データであるので、該音声データを通常の再生速度で再生させる動作を開始する。この通常の再生速度は、録音したときの音声の速度と同じ速度（実速度）ということである。
なお、再生された音声は音声処理部１５の内蔵スピーカから放音される。
【００３８】
次いで、ＣＰＵ９は、該音声データの再生が終了したか否かを判断する（ステップＳ７）。例えば、「イチニツイテー」の音声データを再生している場合には最後まで再生したか否かを判断する。
ステップＳ７で、音声データの再生が終了していないと判断すると終了するまでステップＳ７に留まり、音声データの再生が終了したと判断すると、ＣＰＵ９は、該区分けされた音声データに対応する動画データの再生が終了したか否かを判断する（ステップＳ８）。この該区分けされた音声データに対応する動画データとは、例えば、該区分けされた音声データが「イチニツイテー」である場合には、該音声データは０秒〜３秒までの音声データなので、０秒〜３秒までに対応する動画データということになり、１／３０秒のフレームレートで撮影された動画データである場合は、１枚目〜９０枚目までのフレームの動画データの再生が終了したか否かということになる。また、再生されている区分けされた音声データが「ヨーイ」の場合には、該音声データは３秒〜４秒までの音声データなので、３秒〜４秒までに対応する動画データということになり、１／３０秒のフレームレートで撮影された動画データである場合は、９１枚目〜１２０枚目までのフレームの動画データの再生が終了したか否かということになる。
【００３９】
ステップＳ８で、再生されている区分けされた音声データに対応する動画データの再生が終了していないと判断すると終了したと判断するまでステップＳ８に留まる。このときは、区分けされた音声データの再生は終了しているので音声処理部１５のスピーカからは音声が放音されない、つまり無音状態となる。
一方、ステップＳ８で、再生されている区分けされた音声データに対応する動画データの再生が終了したと判断すると、ＣＰＵ９は、動画再生が終了したか否かを判断する（ステップＳ９）。つまり、動画データのフレームを最後まで再生したか否かにより判断する。
【００４０】
ステップＳ９で、動画データの再生が終了していないと判断すると、ＣＰＵ９は、該複数に区分けされた音声データのうち、再生させていた区分けされた音声データの次の区分けされた音声データの再生を通常の再生速度で開始させて（ステップＳ１０）、ステップＳ７に戻る。例えば、「イチニツイテー」の音声データを再生させていた場合は、「ヨーイ」の音声データの再生を開始させることになる。つまり、複数に区切られた音声データを、区分けされた各音声データに対応する動画データに同期させて、通常の再生速度で再生させていくことになる。
なお、再生された音声は音声処理部１５の内蔵スピーカから放音される。
【００４１】
図３（ｂ）は、実施の形態において再生された動画と音声の様子を示すものである。
記録された動画データの時間は、８秒であり、設定された再生速度は１／３倍速なので、３秒経過したときに１秒分の動画データの再生が終了し、６秒経過すると２秒分の動画データの再生が終了するというように、動画データの再生時間は、実際の記録時間の３倍の時間がかかるということが分かる。
【００４２】
また、複数に区切られた音声データのうち、最初の動画データの音声は、「イチニツイテー」であり、この部分の音声は０〜３秒の間に録音されたものであり、音声は通常の再生速度で再生しているので、該区切られた音声データに対応する動画データ（０秒〜３秒の間に録画された動画データ）のうち、０〜１秒の間に対応する動画データの再生が終了した時点で、該区切られた音声データの再生は終了してしまう。従って、該区切られた音声データに対応する動画データの再生が終了するまで待ち動作を行ない、つまり、無音状態となり、該区切られた音声データに対応する動画データの再生が終了すると、次の区切られた音声データ（ここでは、３秒から４秒の間に録音された音声データ）、つまり、「ヨーイ」の音声データの再生を開始させる。つまり、該区切れた音声データを、該音声データに対応する動画データに同期させて通常の再生速度で再生させる。そして、該「ヨーイ」の音声データの再生が終了すると、該区切られた音声データに対応する動画データ（３秒〜４秒の間に録画された動画データ）の再生が終了するまで待ち処理を行い、該動画データの再生が終了すると、次の区切られた音声データの再生を開始させる。
【００４３】
一方、ステップＳ２で、設定されている動画の再生速度が所定速度より遅くないと判断すると、ＣＰＵ９は、該取得した音声付動画データの動画データと音声データとの再生を該設定されている再生速度（再生速度記録領域に記録されている再生速度）で開始する（ステップＳ１１）。
例えば、設定されている再生速度が１／１．５倍速、つまり２／３倍速の場合は、該音声付動画データの動画データの再生を２／３倍速で開始させるとともに、音声付動画データの音声データの再生も２／３倍速で開始させる。つまり、従来の音声付動画データの再生を開始させることになる。
なお、再生された音声は音声処理部１５の内蔵スピーカから放音される。
設定された再生速度が所定速度より遅くない場合は、該再生速度で音声データを再生させても聞き取りづらくない音声が放音されるからである。
次いで、ＣＰＵ９は、動画再生処理が終了したか否かを判断し（ステップＳ１２）、終了するまでステップＳ１２に留まる。
【００４４】
Ｃ．以上のように、実施の形態においては、設定されている再生速度が所定速度より遅い場合は、音声付動画データの音声データを複数に区切るとともに、該音声付動画データの動画データを該設定されている再生速度でスロー再生させ、該区切られた各音声データを、該各音声データに対応する動画データに同期させて通常の再生速度で再生させるようにしたので、聞き取りやすい音声を内蔵スピーカから放音させることができる。
また、音声データの音声を音声認識処理により文章の区切りのよい部分を認識し、該認識に基づいて該音声データを区切るようにしたので、放音される文章を聞き取りやすくすることができる。
【００４５】
［変形例］
Ｄ．上記実施の形態は以下のような態様でもよい。
（１）上記実施の形態においては、区切られた各音声データと、各音声データに対応する動画データとを同期させる位置を、区切られた音声データの再生開始と、該区切られた音声データに対応する動画データの再生開始とが同時になるような位置にしたが、図３（ｃ）に示すように、区切られた音声データが、該区切られた音声データに対応する動画データの中間で再生されるような位置にするように、つまり、該区切られた音声データの中間と、該区切られた音声データに対応する動画データの中間とが同時に再生されるような位置にするようにしてもよいし、区切られた音声データの再生の終了と、該区切られた音声データに対応する動画データの再生の終了とが同じになるような位置にしてもよい。
また、区切られた音声データが、該区切られた音声データに対応する動画データの再生中に再生されるのであれば（再生が開始され、且つ、終了するのであれば）、どの任意のタイミングで再生させるようにしてもよい。つまり、同期された期間内であれば任意のタイミングで再生させるようにしてもよい。
【００４６】
（２）上記実施の形態においては、音声認識処理に基づいて音声データを、複数に区切るようにしたが、単に所定の単位時間毎に音声データを区切るようにしてもよい。
図４（ａ）は、そのときに再生された動画と音声の様子を示す図である。
図を見ると、所定の単位時間（ここでは１秒）毎に、音声データが区切られ、該区切られた各音声データは、該音声データに対応する動画データと同期されて（ここでは、区切られた音声データの再生開始と、該区切られた音声データに対応する動画データの再生開始とが同時になるように）、再生されているのが分かる。
【００４７】
また、上記変形例（１）で説明したように、同期位置を、区切られた音声データの中間と動画データの中間とが同時に再生されるような位置にしてもよいし、区切られた音声データの再生の終了と、該区切られた音声データに対応する動画データの再生の終了とが同じになるような位置にしてもよい（図４（ｂ）参照）。
また、区切られた音声データが、該区切られた音声データの動画データの再生中に再生されるのであれば（再生が開始され、且つ、終了するのであれば）、どの任意のタイミングで再生させるようにしてもよい。
【００４８】
（３）また、上記実施の形態においては、ステップＳ７で、区切られた音声データの再生が終了したと判断されると、ステップＳ８で、該区切られた音声データに対応する動画データの再生が終了するまで待ち処理を行うようにしたが、該区切られた音声データに対応する動画データの再生が終了するまでは、該区切られた音声データのリピート再生を行なうようにしてもよい。
【００４９】
このときのデジタルカメラ１の動作を図５のフローチャートにしたがって説明する。なお、図２のフローチャートと同様の動作を行なうステップについては、同じステップ番号を付している。
図２のステップＳ６で、複数に区分けされた音声データのうち、最初の音声データの再生を通常の再生速度で開始させると、図５のステップＳ７に進み、該区切られた音声データの再生が終了したか否かを判断し、終了したと判断するまでステップＳ７に留まる。
【００５０】
ステップＳ７で、該区切られた音声データの再生が終了したと判断すると、ＣＰＵ９は、該再生した区分けされた音声データに対応する動画データの再生が終了する前に、もう一度該再生した区分けされた音声データを再生することができるか否かを判断する（ステップＳ２１）。
例えば、「イチニツイテー」の音声データの再生が終了すると、該「イチニツイテー」の音声データに対応する動画データ（０秒〜３秒までの動画データ）の再生が終了する前に、もう一度「イチニツイテー」の音声データを再生することができるか否かを判断することになる。
【００５１】
ステップＳ２１で、該再生した区分けされた音声データに対応する動画データの再生が終了する前に、もう一度該再生した区分けされた音声データを再生することができると判断すると、ＣＰＵ９は、該再生した区分けされた音声データを前回より小さい音量で、且つ、通常の再生速度で再び再生させる動作を開始してステップＳ７に戻る。これにより、リピートされる回数が増えれば増えるほど、リピート再生される音声の音量は段々小さくなっていく。
一方、ステップＳ２１で、該再生した区分けされた音声データに対応する動画データの再生が終了する前に、もう一度該再生した区分けされた音声データを再生することができないと判断すると、図２のステップＳ８へ進む。
【００５２】
図６は、このときに再生された動画と音声の様子を示すものである。
図を見ると、区切られた音声データに対応する動画データの再生が終了するまで、該区切られた音声データがリピート再生されているのがわかる。
なお、リピート再生の回数に応じて、リピート再生される音量を小さくさせていくようにしたが、逆に音量を大きくさせていくようにしてもよい。
また、リピート再生される音量（２回目以降に再生される音量）を、同じ音量にするようにしてもよい。この場合は、リピート再生される音量を１回目に再生される音量と同じにしてもよいし、小さくするようにしてもよいし、大きくするようにしてもよい。
【００５３】
（４）また、上記実施の形態においては、音声付動画データの音声データの音声が人の音声（話し声）か、それ以外の音声や音などの自然音（動物の鳴き声や、車の音、海の波の音、風によって木がなびく音）であるか否かを音声認識により判断して、人の音声であると判断した場合に本発明を行なうようにしてもよい。人の音声をスロー再生すると聞き取りづらいが、自然音の場合はスロー再生しても聞き取りづらい（何を言っているのか分からない）ということは無いからである。
【００５４】
このデジタルカメラ１の動作を図７のフローチャートにしたがって説明する。
図２のステップＳ１で、音声付動画データを取得すると、図７のステップＳ５１に進み、ＣＰＵ９は、該取得した音声付動画データの音声データの音声を音声認識処理により認識する。ここでの、音声認識処理は、人の音声であるか否かを認識できる程度の処理でよい。
次いで、ステップＳ５２で、ＣＰＵ９は、該音声認識処理に基づいて、該音声データの音声は人の音声か否かを判断する（判断手段）。
ステップＳ５２で人の音声であると判断すると、図２のステップＳ２、又は、ステップＳ３に進み、人の音声でないと判断するとステップＳ１１に進む。
【００５５】
（５）また、上記実施の形態において、区分けした各音声データを再生させる場合に、区分けされた各音声データの再生の初めをフェードインさせていき、再生の終わりをフェードアウトさせるようにしてもよい。
【００５６】
（６）また、上記実施の形態においては、設定されている再生速度（再生速度記録領域に記録されている再生速度）が所定速度より遅いと判断された場合は、音声データを通常の再生速度で再生させるようにしたが、音声データの再生速度が動画データの再生速度（設定されている再生速度）よりも速い速度であれば通常の再生速度よりも遅い速度で再生するようにしてもよい。つまり、設定されている再生速度よりも速い速度であればよい。音声データの再生速度が設定されている再生速度よりも速い速度であれば、然程音声が聞き取りづらいということはないからである。
この場合は、ユーザが音声データの再生速度を任意に選択することができるようにしてもよい。このときは、ＣＰＵ９は、該選択に従って音声データの再生速度を設定する（音声再生速度設定手段）。
【００５７】
（７）また、上記実施の形態においては、ユーザの意思に関わらず、所定の条件を満たすと、音声データを通常の再生速度で再生させるようにしたが、ユーザが、該設定された再生速度（再生速度記録領域に記録されている再生速度）で音声データを再生させるか否かを選択することができようにしてもよい（選択手段）。この場合、該設定された再生速度（再生速度記録領域に記録されている再生速度）で音声データを再生させると選択された場合は図２のステップＳ１１に進み、該設定された再生速度で音声データを再生させないと選択された場合は図２のステップＳ２又はステップＳ３へ進むようにする。
【００５８】
（８）また、上記実施の形態においては、予め設定モードやメニューモードにおいて、動画の再生速度を設定するようにしたが、動画再生中においても動画の再生速度の設定変更を行なうことができるようにしてもよい。この設定変更された再生速度は、メモリ１１の再生速度記録領域に上書きして記録される。
このときは、設定変更が行なわれると、再び、該設定された再生速度が所定速度より遅いか否かを判断し、遅い場合は通常の再生速度（１倍速）でこれからの音声データを再生させるとともに、設定された再生速度でこれからの動画データを再生し、設定された再生速度が所定速度より速い場合にはこれからの動画データと音声データとを該設定された再生速度で再生するようにしてもよい。
【００５９】
（９）また、上記実施の形態においては、上記変形例（１）乃至（８）を任意に組み合わせるような態様であってもよい。
【００６０】
（１０）また、上記実施の形態においては、本発明の動画再生装置をデジタルカメラ１に適用した場合について説明したが、カメラ付き携帯電話、カメラ付きＰＤＡ、カメラ付きパソコン、カメラ付きＩＣレコーダ、又はデジタルビデオカメラ等に適用してもよく、音声付動画データを再生することができる機器であればよい。
【図面の簡単な説明】
【００６１】
【図１】本発明の実施の形態のデジタルカメラのブロック図である。
【図２】実施の形態のデジタルカメラ１の動作を示すフローチャートである。
【図３】記録された音声付動画データの様子、及び、実施の形態及び変形例において再生された動画と音声の様子を示すものである。
【図４】変形例において再生された動画と音声の様子を示すものである。
【図５】変形例におけるデジタルカメラ１の動作を示すフローチャートである。
【図６】変形例において再生された動画と音声の様子を示すものである。
【図７】変形例におけるデジタルカメラ１の動作を示すフローチャートである。
【符号の説明】
【００６２】
１      デジタルカメラ
２      撮影レンズ
３      レンズ駆動ブロック
４      ＣＣＤ
５      ドライバ
６      ＴＧ
７      ユニット回路
８      画像生成部
９      ＣＰＵ
１０    キー入力部
１１    メモリ
１２    ＤＲＡＭ
１３    フラッシュメモリ
１４    画像表示部
１５    音声処理部
１６    バス
【図１】
2008079073.tif 000003
【図２】
2008079073.tif 000004
【図３】
2008079073.tif 000005
【図４】
2008079073.tif 000006
【図５】
2008079073.tif 000007
【図６】
2008079073.tif 000008
【図７】
2008079073.tif 000009